(57)【要約】【課題】バーンイン後に電子装置の内部回路のスタンバイ電流の計測を容易にできる電子装置を提供すること。【解決手段】電源端子と、前記電源端子の電圧から所定の電圧を生成するレギュレータと、前記レギュレータの出力電圧によって動作する内部回路と、前記レギュレータおよび前記内部回路を低消費電力状態にするスタンバイ端子と、を有する。【選択図】図１
2019061723.tif 000002
【特許請求の範囲】
【請求項１】
電源端子と、
前記電源端子の電圧から所定の電圧を生成するレギュレータと、
前記レギュレータの出力電圧によって動作する内部回路と、
前記レギュレータおよび前記内部回路を低消費電力状態にするスタンバイ端子と、
前記レギュレータの出力電圧を前記電源端子の電圧に応じて変化する状態に移行させるバーンイン端子とを備え、
前記バーンイン端子に所定の電圧を印加した場合に、前記電源端子の電圧に比べて低くした前記レギュレータの出力電圧を前記内部回路に印加し、
前記スタンバイ端子に前記所定の電圧を印加した場合に、前記レギュレータおよび前記内部回路を低消費電力状態とし、前記電源端子の電流と前記レギュレータの出力端子の電流を等しくするようにし、
前記バーンイン端子と前記スタンバイ端子の両方に前記所定の電圧を印加しているときに、前記電源端子の電流を測定するだけで前記内部回路のスタンバイ電流を検出することができるようにした電子装置。
【請求項２】
請求項１に記載の電子装置において、
前記バーンイン端子と前記スタンバイ端子は同一端子から構成され、
前記同一端子に印加する電圧レベルに応じて、前記レギュレータの出力電圧を前記電源端子の電圧に応じて変化する状態と前記レギュレータおよび前記内部回路を低消費電力状態に移行させる３値論理回路とを有することを特徴とする電子装置。
【請求項３】
請求項１に記載の電子装置において、
前記レギュレータおよび前記内部回路が低消費電力状態のとき、前記レギュレータの出力電圧を前記電源端子の電圧に応じて変化する状態にすることを特徴とする電子装置。
【請求項４】
請求項１に記載の電子装置において、
前記レギュレータの出力電圧を前記電源端子の電圧に応じて変化する状態のとき、前記電源端子の電圧に比べて前記レギュレータの出力電圧を低くすることを特徴とする電子装置。
【請求項５】
請求項１に記載の電子装置において、
前記レギュレータの出力回路をＮＰＮ型トランジスタで構成し、
前記ＮＰＮ型トランジスタのベース端子のグランド側への電流を遮断するスイッチング素子を有することを特徴とする電子装置。
【請求項６】
請求項１に記載の電子装置において、
前記レギュレータの出力回路をＰＮＰ型トランジスタで構成し、
前記ＰＮＰ型トランジスタのベース端子のグランド側への電流を遮断するスイッチング素子を有することを特徴とする電子装置。
【請求項７】
請求項１に記載の電子装置において、
前記レギュレータの出力回路をＭＯＳ型トランジスタで構成し、
前記レギュレータの出力電圧を前記電源端子の電圧に応じて変化する状態では前記ＭＯＳ型トランジスタをオン状態にすることを特徴とする電子装置。
【請求項８】
請求項１に記載の電子装置において、
前記電源端子と前記内部回路の電源を接続するスイッチを有し、
前記レギュレータの出力電圧を前記電源端子の電圧に応じて変化する状態で前記スイッチをオン状態にすることを特徴とする電子装置。
【請求項９】
請求項１に記載の電子装置において、
前記レギュレータと前記内部回路とを同一集積回路に配置したことを特徴とする電子装置。
【発明の詳細な説明】
【技術分野】
【０００１】
本発明は電源端子の電圧から所定の電圧を生成するレギュレータの出力電圧によって動
作する内部回路を有する電子装置に係り、特に内部回路のスタンバイ電流の計測が容易な
電子装置に関する。
【背景技術】
【０００２】
電子装置の従来例には例えば、特許文献１に記載された車載電子ユニットなどがある。
【先行技術文献】
【特許文献】
【０００３】
【特許文献１】特開平１０−９０４１号公報
【発明の概要】
【発明が解決しようとする課題】
【０００４】
特許文献１に記載の技術ではバーンインの実施に対しては配慮されていたが、バーンイ
ン後のスタンバイ電流の計測に対する配慮は欠けていた。
【０００５】
図４に従来の電子装置のレギュレータの構成を示す。従来の電子装置のレギュレータ回
路１０４はバッテリ電源ライン１０６と、バッテリ電源ライン１０６の電圧を監視する電
圧監視回路５００と、基準電圧を発生するバンドギャップリフャレンス５１２と、レギュ
レータ回路１０４の出力電圧を制御する定電圧発生用トランジスタ５０３と、電圧監視回
路５００の信号に応じて分圧比を切り換えてレギュレータ回路１０４の出力電圧を分圧す
る分圧比切り換え回路５０２と、バンドギャップリフャレンス５１２と分圧比切り換え回
路５０２の出力の差電圧から定電圧発生用トランジスタ５０３を制御するアンプ回路５０
１と、レギュレータ回路１０４の出力電圧を内部回路（バーンインの必要なＬＳＩなど）
へ接続するレギュレータ出力ライン１０５より構成される。電圧監視回路５００はコンパ
レータ５１１と、抵抗Ｒ１、Ｒ２から構成され、分圧比切り換え回路５０２は抵抗Ｒ３、
Ｒ４、Ｒ５とＭＯＳトランジスタ５１０から構成される。
【０００６】
本電子装置では分圧比切り換え回路５０２によりレギュレータ回路１０４の出力電圧を
変化させて内部回路へバーンイン電圧を印加できるようにしている。しかし、バーンイン
後の内部回路の故障判定は動作確認のみであった。バーンインによるＬＳＩの故障はＬＳ
Ｉを構成するＭＯＳトランジスタの酸化膜のリーク電流の増加から始まり、その後、動作
不良に発展する。この為、動作確認のみでは故障の初期段階であるリーク電流の増加を検
出できない。リーク電流の増加したＬＳＩはリーク電流の小さいＬＳＩに比べて動作不良
に至る時間が早く、製品寿命を確実に確保する為にはバーンイン後にリーク電流の増加を
検出する必要がある。リーク電流の増加を検出する為にＬＳＩには一般的にスタンバイ端
子があり、スタンバイ端子をアクティブにすることでＬＳＩの消費電流をほぼゼロにでき
、この時の消費電流をスタンバイ電流と称し、このスタンバイ電流はＬＳＩ内部のリーク
電流に依存する。つまり、スタンバイ端子をアクティブにすることでバーンインによって
生じたＬＳＩ内部のリーク電流の増加をスタンバイ電流を計測することで検出できる。し
かし、本電子装置では内部回路（バーンインの必要なＬＳＩなど）のスタンバイ電流を計
測する機能が無く、製品寿命を確実に確保することが困難であった。
【０００７】
本発明の目的は、バーンイン後に電子装置の内部回路のスタンバイ電流の計測を容易に
できる電子装置を提供することにある。
【課題を解決するための手段】
【０００８】
上記課題を解決するため本発明の電子装置は、例えば、電源端子と、前記電源端子の電
圧から所定の電圧を生成するレギュレータと、前記レギュレータの出力電圧によって動作
する内部回路と、前記レギュレータおよび前記内部回路を低消費電力状態にするスタンバ
イ端子と、を有する。
【発明の効果】
【０００９】
本発明によればレギュレータの出力電圧で動作する内部回路のバーンイン後のスタンバ
イ電流の計測を容易にできる電子装置を提供できる。
【図面の簡単な説明】
【００１０】
【図１】第１の実施例の電子装置の構成
【図２】第１の実施例の電子装置の動作チャート
【図３】電源端子２の電圧とレギュレータ５の出力電圧の関係
【図４】従来の電子装置のレギュレータの構成
【図５】第２の実施例の電子装置の構成
【図６】第２の実施例の電子装置の動作チャート
【図７】第３の実施例の電子装置の構成
【図８】第４の実施例の電子装置の構成
【図９】第５の実施例の電子装置の構成
【図１０】第６の実施例の電子装置の構成
【図１１】第７の実施例の電子装置の構成
【発明を実施するための形態】
【００１１】
以下、本発明の実施の形態について、図面を参照して説明する。
【実施例１】
【００１２】
まず、本発明の第１の実施例である電子装置を図１、２、３により説明する。なお、図
１は第１の実施例の電子装置の構成、図２は第１の実施例の電子装置の動作チャート、図
３は電源端子２の電圧とレギュレータ５の出力電圧の関係である。
【００１３】
本実施例の電子装置１は電源を供給する電源端子２と、バーンイン信号を印加するバー
ンイン端子３と、スタンバイ信号を印加するスタンバイ端子４と、電源端子２の電圧から
所定の電圧を生成するレギュレータ５と、レギュレータ５の出力電圧によって動作する内
部回路１６とから構成される。レギュレータ５は基準電圧を発生する基準電圧源６と、レ
ギュレータ５の出力電圧Ｖｃｒｔを分圧する固定抵抗１４、１５と、スタンバイ信号に応
じて固定抵抗１４、１５への電流を遮断するＭＯＳトランジスタ１３と、抵抗１４、１５
で分圧された電圧と基準電圧源６の出力電圧との差電圧を増幅する増幅器７と、増幅器７
の出力によって駆動されるＭＯＳトランジスタ９、１２と、ＭＯＳトランジスタ９、１２
によってベース電流を制御されるトランジスタ１１と、トランジスタ１１のベース電流を
制限する固定抵抗８と、バーンイン信号に応じてＭＯＳトランジスタ９をオン状態にＭＯ
Ｓトランジスタ１２をオフ状態にするＭＯＳトランジスタ１０とで構成される。
【００１４】
次に、本実施例の電子装置１の動作について図２により説明する。通常時、バーンイン
端子３の電圧（バーンイン信号）はローレベルであり、スタンバイ端子４の電圧（スタン
バイ信号）もローレベルである。このとき電源端子２の電圧Ｖｃｃは通常時の電源電圧と
して５Ｖを供給する。この為、レギュレータ５も通常動作するのでレギュレータ５の出力
電圧Ｖｃｒｔは３．３Ｖになり、このＶｃｒｔによって内部回路１６も通常動作する。こ
の時の電源端子２の消費電流Ｉｃｃは基準電圧源６の消費電流Ｉｂｇと増幅器７の消費電
流Ｉａｍｐと固定抵抗１４、１５へ流れる電流Ｉｒｅｓと内部回路１６の消費電流Ｉｃｒ
ｔの合計になる。
【００１５】
次に、バーンイン時の動作について説明する。バーンイン時、バーンイン端子３の電圧
（バーンイン信号）をハイレベルし、スタンバイ端子４の電圧（スタンバイ信号）をロー
レベルにする。このとき電源端子２の電圧Ｖｃｃは通常時の電源電圧として５Ｖを供給す
る。この時、バーンイン信号によってＭＯＳトランジスタ１０がオン状態になるのでＭＯ
Ｓトランジスタ９はオン状態にＭＯＳトランジスタ１２はオフ状態に移行する。この結果
、トランジスタ１１のベースとコレクタは固定抵抗８で接続され、レギュレータ５の出力
電圧はＶｃｃよりダイオード１個分（約０．６Ｖ）下がった電圧４．４Ｖになる。このこ
とにより内部回路１６に４．４Ｖを供給する。
【００１６】
図３はバーンイン時の電源端子２の電圧Ｖｃｃとレギュレータ５の出力電圧Ｖｃｒｔの
関係であるが、バーンイン時にはレギュレータ５の出力電圧Ｖｃｒｔは電源端子２の電圧
Ｖｃｃよりもダイオード１個分の電圧降下（約０．６Ｖ）が生じる。このことによりバー
ンイン端子３にハイレベルを印加するだけで、電源端子２には通常時の電圧を印加したま
まで内部回路１６へバーンイン時に印加すべき電圧４．４Ｖが印加できる。つまり、バー
ンインのために特別な電源を用意する必要が無いのでバーンインを実施するための設備の
簡素化を実現できる。このことは、通常時の電源電圧Ｖｃｃとバーンイン時に内部回路１
６へ印加する電圧の差分だけレギュレータ回路５で電圧を降下させることで実現できる。
また、バーイン電圧を後から変更したい場合には電源電圧Ｖｃｃを若干調整することでレ
ギュレータ５の出力電圧を操作できる。つまり、レギュレータ５の出力電圧Ｖｃｒｔを電
源端子２の電圧Ｖｃｃとの間に一定の電圧が生じるようにすることでバーンイン装置の簡
素化とバーンイン電圧の変更に対応できる。なお、バーンイン時の電源端子２の電圧Ｖｃ
ｃとレギュレータ５の出力電圧Ｖｃｒｔの差電圧は電源装置の通常の電源電圧と内部回路
１６のバーンイン電圧に応じて任意に設定することが望ましい。また、バーンイン時の電
源端子２の電圧Ｖｃｃとレギュレータ５の出力電圧Ｖｃｒｔの間に差電圧を設けることで
、バーンイン端子３にノイズが印加され、誤ってバーンイン状態に移行したとしても内部
回路１６へ印加される電圧をバーンイン電圧以下に抑えることができるので内部回路１６
の損傷を抑えることができる。
【００１７】
次に、スタンバイ時の動作について説明する。スタンバイ時、バーンイン端子３の電圧
（バーンイン信号）をハイレベルし、スタンバイ端子４の電圧（スタンバイ信号）もハイ
レベルにする。このとき電源端子２の電圧Ｖｃｃにはスタンバイ時の電源電圧として６Ｖ
を供給する。この時、バーンイン信号によってＭＯＳトランジスタ１０がオン状態になる
のでＭＯＳトランジスタ９はオン状態にＭＯＳトランジスタ１２はオフ状態に移行する。
この結果、トランジスタ１１のベースとコレクタは固定抵抗８で接続され、レギュレータ
５の出力電圧はＶｃｃよりダイオード１個分（約０．６Ｖ）下がった電圧５．４Ｖになる
。このことにより内部回路１６に５．４Ｖを供給する。
【００１８】
また、スタンバイ信号によって、レギュレータ５及び内部回路１６はスタンバイ状態（
低消費電力状態）に移行する。この結果、基準電圧源６の消費電流Ｉｂｇは０に、増幅器
７の消費電流Ｉａｍｐも０に、固定抵抗１３、１４へ流れる電流Ｉｒｅｓも０になる。電
源端子２の消費電流Ｉｃｃは基準電圧源６の消費電流Ｉｂｇと増幅器７の消費電流Ｉａｍ
ｐと固定抵抗１３、１４へ流れる電流Ｉｒｅｓと内部回路１６の消費電流Ｉｃｒｔの合計
になるので源端子２の電流と内部回路１６の消費電流（レギュレータの出力端子の電流）
は等しくなる。また、内部回路１６の消費電流Ｉｃｒｔは内部回路が正常であれば０にな
り、内部回路１６がバーンインにより故障してリーク電流が増加した場合にはＩｌｅａｋ
が流れるので電源端子２の電流Ｉｃｃは内部回路１６が正常であれば０になり、内部回路
１６がバーンインにより故障してリーク電流が増加した場合にはＩｌｅａｋが流れる。つ
まり、電源端子２の電流Ｉｃｃを測定することで内部回路１６のスタンバイ電流（リーク
電流の増加）を検出することができる。
【００１９】
一般的に内部回路１６のスタンバイ電流を計測するためには、レギュレータ５と内部回
路１６を切り離し、内部回路１６へ個別に電源を接続して電流を計測し、電流の計測後に
レギュレータ５と内部回路１６を接続する必要があるが、本実施例ではレギュレータ５の
消費電流を０にするスタンバイ端子を設けることで、電源端子２の電流Ｉｃｃを測定する
だけで内部回路１６のスタンバイ電流を検出することができる。
【００２０】
また、本実施例では図３に示す様に電源端子２の電圧Ｖｃｃに応じてレギュレータの出
力電圧を変化させるようにしたので、内部回路１６の電源電圧を任意に変更することがで
きる。このことにより内部回路１６のスタンバイ電流を計測するのに最適な電源電圧を内
部回路１６へ印加することができる。つまり、内部回路１６のスタンバイ電流を測定する
為に高めの電源電圧を内部回路１６へ印加することができ、より小さい故障によって生じ
るリーク電流の増加を検出可能にした。
【００２１】
また、本実施例ではレギュレータ５の出力電圧を電源端子２の電圧に応じて変化する状
態に移行させるバーンイン端子３を設けることで、バーンイン端子３の電圧をハイレベル
にするだけで内部回路１６にバーンイン電圧（４．４Ｖ）を印加できるようになり、バー
ンインの設備の簡素化を可能にした。
【００２２】
また、本実施例ではスタンバイ電流の計測時には基準電圧源６、増幅器７、抵抗１４、
１５へ流れる電流を遮断すると共に、バーンイン信号によってＭＯＳトランジスタ１０を
オン状態にしてＭＯＳトランジスタ９をオン状態にＭＯＳトランジスタ１２をオフ状態に
する。このことにより、電源端子２の電流とレギュレータ５の出力端子の電流を等しくし
た。この結果、内部回路１６のスタンバイ電流を電源端子２の電流から計測できるので内
部回路１６への電源配線を切り離す必要なしに内部回路１６のスタンバイ電流を容易に計
測できるようにした。
【実施例２】
【００２３】
次に、本発明の第２の実施例である電子装置を図５、６により説明する。なお、図５は
第２の実施例の電子装置の構成、図６は第２の実施例の電子装置の動作チャートである。
【００２４】
第２の実施例の電子装置は第１の実施例の電子装置と基本的に同じ構成であるがバーン
イン端子３、スタンバイ端子４を削除して、制御端子１７と３値論理回路１８を付加して
端子数の削減を図ったものである。
【００２５】
次に、本実施例の電子装置１の動作について図６により説明する。通常時、制御端子１
７の電圧を０Ｖにして、電源端子２の電圧Ｖｃｃには通常時の電源電圧として５Ｖを供給
する。この時、３値論理回路１８によりバーンイン信号はローレベルが出力され、スタン
バイ信号もローレベルが出力される。この結果、レギュレータ５は通常動作するのでレギ
ュレータ５の出力電圧Ｖｃｒｔは３．３Ｖを出力し、このＶｃｒｔによって内部回路１６
も通常動作する。
【００２６】
次に、バーンイン時の動作について説明する。バーンイン時には制御端子１７の電圧を
５Ｖにして、電源端子２の電圧Ｖｃｃには通常時の電源電圧として５Ｖを供給する。この
時、３値論理回路１８によりバーンイン信号はハイレベルが出力され、スタンバイ信号に
はローレベルが出力される。この結果、レギュレータ５の出力電圧はＶｃｃより約０．６
Ｖ下がった電圧４．４Ｖが出力され内部回路１６にバーンイン電圧である４．４Ｖを供給
する。
【００２７】
次に、スタンバイ時の動作について説明する。スタンバイ時には制御端子１７の電圧を
１０Ｖにして、電源端子２の電圧Ｖｃｃにはスタンバイ時の電源電圧として６Ｖを供給す
る。この時、３値論理回路１８によりバーンイン信号はハイレベルが出力され、スタンバ
イ信号にもハイレベルが出力される。この結果、レギュレータ５の出力電圧はＶｃｃより
約０．６Ｖ下がった電圧５．４Ｖが出力され内部回路１６にスタンバイ電流測定用の電圧
である５．４Ｖを供給すると共にレギュレータ５および内部回路１６をスタンバイ状態に
することで内部回路１６のスタンバイ電流を電源端子２の電流から計測可能にした。
【００２８】
本実施例では３値論理回路１８を付加することで端子数の削減を可能にした。また、３
値論理回路１８のしきい値を高電圧にすることでノイズによる誤動作を減らすことも可能
である。
【実施例３】
【００２９】
次に、本発明の第３の実施例である電子装置を図７により説明する。なお、図７は第３
の実施例の電子装置の構成である。
【００３０】
第３の実施例の電子装置は第１の実施例の電子装置と基本的に同じ構成であるがトラン
ジスタ１１（ＮＰＮ型）をＰＮＰ型のトランジスタ１９に変更した変形例である。第３の
実施例の電子装置ではトランジスタ１９をＰＮＰ型にしたので固定抵抗８、ＭＯＳトラン
ジスタ９を削除してＭＯＳトランジスタ２０を付加した。このことでバーンイン信号によ
ってＭＯＳトランジスタ１０がオン状態になるのでＭＯＳトランジスタ１２をオフ状態に
、ＭＯＳトランジスタ２０をオン状態に移行させる。この結果、トランジスタ１９のベー
スとコレクタは接続され、レギュレータ５の出力電圧はＶｃｃより約０．６Ｖ下がった電
圧４．４Ｖになり、内部回路１６に４．４Ｖを供給する。また、スタンバイ状態（バーン
イン端子とスタンバイ端子がハイレベルの状態）においてはＭＯＳトランジスタ１２がオ
フ状態なのでトランジスタ１９のベース端子からグランドへ流れる電流を遮断する。この
為、電源端子２の電流Ｉｃｃと内部回路１６の電流は等しくなるので、内部回路１６のス
タンバイ電流を電源端子２の電流を計測することで測定できる。
【実施例４】
【００３１】
次に、本発明の第４の実施例である電子装置を図８により説明する。なお、図８は第４
の実施例の電子装置の構成である。
【００３２】
第４の実施例の電子装置は第１の実施例の電子装置と基本的に同じ構成であるがトラン
ジスタ１１（ＮＰＮ型）をＮ型のＭＯＳトランジスタ２１に変更した変形例である。本実
施例においてもバーンイン信号によってＭＯＳトランジスタ１０をオン状態にして、ＭＯ
Ｓトランジスタ１２をオフ状態にＭＯＳトランジスタ２０をオン状態に移行させる。この
結果、ＭＯＳトランジスタ２１のゲートとドレインは接続され、レギュレータ５の出力電
圧はＶｃｃよりＭＯＳトランジスタ２１のしきい値分（約０．６Ｖ）下がった電圧４．４
Ｖになる。このことにより内部回路１６に４．４Ｖを供給する。また、スタンバイ状態（
バーンイン端子とスタンバイ端子がハイレベルの状態）においてはＭＯＳトランジスタ１
２がオフ状態なのでＭＯＳトランジスタ９からグランドへ流れる電流を遮断する。この為
、電源端子２の電流Ｉｃｃと内部回路１６の電流は等しくなるので、内部回路１６のスタ
ンバイ電流を電源端子２の電流を計測することで測定できる。
【実施例５】
【００３３】
次に、本発明の第５の実施例である電子装置を図９により説明する。なお、図９は第５
の実施例の電子装置の構成である。
【００３４】
第５の実施例の電子装置は第１の実施例の電子装置と基本的に同じ構成であるがトラン
ジスタ１１（ＮＰＮ型）をＰ型のＭＯＳトランジスタ２２に変更した変形例である。第５
の実施例の電子装置はＰ型のＭＯＳトランジスタ２２に変更したのでＭＯＳトランジスタ
９を削除してＭＯＳトランジスタ２３を付加した。本実施例においてもバーンイン信号に
よってＭＯＳトランジスタ１０がオン状態になり、ＭＯＳトランジスタ１２をオフ状態に
移行させＭＯＳトランジスタ２３をオン状態に移行させる。この結果、ＭＯＳトランジス
タ２２のゲートとドレインは接続され、レギュレータ５の出力電圧はＶｃｃよりＭＯＳト
ランジスタ２２のしきい値分（約０．６Ｖ）下がった電圧４．４Ｖになる。このことによ
り内部回路１６に４．４Ｖを供給する。また、スタンバイ状態（バーンイン端子とスタン
バイ端子がハイレベルの状態）においてはＭＯＳトランジスタ１２がオフ状態なので抵抗
８からグランドへ流れる電流を遮断する。この為、電源端子２の電流Ｉｃｃと内部回路１
６の電流は等しくなるので、内部回路１６のスタンバイ電流を電源端子２の電流を計測す
ることで測定できる。
【実施例６】
【００３５】
次に、本発明の第６の実施例である電子装置を図１０により説明する。なお、図１０は
第６の実施例の電子装置の構成である。
【００３６】
第６の実施例の電子装置は第１の実施例の電子装置と基本的に同じ構成であるが抵抗８
、ＭＯＳトランジスタ９を削除し、インバータ２４、ダイオード２５、ＭＯＳトランジス
タ２６を付加した変形例である。第６の実施例の電子装置においてはバーンイン信号によ
ってトランジスタ１０をオン状態にして、ＭＯＳトランジスタ１２をオフ状態に移行させ
、トランジスタ１１をオフ状態にすることでトランジスタ１１の電流を遮断するとともに
、インバータ２４を介してバーンイン信号をＭＯＳトランジスタ２６のゲートへ印加して
ＭＯＳトランジスタ２６をオン状態する。このことで、電源端子２はダイオード２５を介
して内部回路１６へ接続される。この結果、レギュレータ５の出力電圧は電源端子２の電
圧Ｖｃｃよりダオード２５の降下電圧分（約０．６Ｖ）下がった電圧４．４Ｖになる。こ
のことにより内部回路１６に４．４Ｖを供給する。また、スタンバイ状態（バーンイン端
子とスタンバイ端子がハイレベルの状態）においてはトランジスタ１１がオフ状態なので
電源端子２の電流Ｉｃｃと内部回路１６の電流は等しくなる。つまり、内部回路１６のス
タンバイ電流を電源端子２の電流を計測することで測定できる。本実施例ではダイオード
２５の接続数を変更することで、バーンイン時の電源端子２の電圧と内部回路１６の電圧
の差電圧の変更が容易である。この結果、電源端子２の電圧および内部回路１６のバーン
イン電圧の変化に対して汎用性を上げることができる。
【実施例７】
【００３７】
次に、本発明の第７の実施例である電子装置を図１１により説明する。なお、図１１は
第７の実施例の電子装置の構成である。
【００３８】
第７の実施例の電子装置２７は電源を供給する電源端子２８と、バーンイン信号を印加
するバーンイン端子２９と、スタンバイ信号を印加するスタンバイ端子３０と、電源端子
２８の電圧から所定の電圧を生成するレギュレータ３１と、レギュレータ３１の出力電圧
によって動作する内部回路３２と、電源端子２８の電圧から所定の電圧を生成するレギュ
レータ３３と、レギュレータ３３の出力電圧によって動作する内部回路３４と、電源端子
２８の電圧から所定の電圧を生成するレギュレータ３５と、レギュレータ３５の出力電圧
によって動作する内部回路３７と、レギュレータ３５の出力電圧を観測する観測端子３６
とから構成され、全ての回路が１つ集積回路に集積化されている。
【００３９】
本実施例の各レギュレータ３１、３３、３５と内部回路３２、３４、３７の動作は第１
の実施例の動作と全く同じであるが、３個のレギュレータ３１、３３、３５にそれぞれ内
部回路３２、３４、３７が付加した構成となっている。集積回路においては内部回路の構
成に応じて複数のレギュレータを持つことが多い。この様な場合においても第１の実施例
で示した様にバーンイン端子２９とスタンバイ端子３０を用いて内部回路３２、３４、３
７の容易なバーンインの実施と、内部回路３２、３４、３７のスタンバイ電流の計測を電
源端子２８の電流を測定することで実現できる。なお、本実施例では内部電圧を確認でき
るように観測端子３６を設けてレギュレータ３５の出力電圧を確認できるようにした。
【符号の説明】
【００４０】
１‥電子装置、２‥電源端子、３‥バーンイン端子、４‥スタンバイ端子、５‥レギュレ
ータ、６‥基準電圧源、７‥増幅器、８‥固定抵抗、９‥ＭＯＳトランジスタ、１０‥Ｍ
ＯＳトランジスタ、１１‥トランジスタ、１２‥ＭＯＳトランジスタ、１３‥ＭＯＳトラ
ンジスタ、１４‥固定抵抗、１５‥固定抵抗、１６‥内部回路、１７‥制御端子、１８‥
３値論理回路、１９‥トランジスタ、２０‥ＭＯＳトランジスタ、２１‥ＭＯＳトランジ
スタ、２２‥ＭＯＳトランジスタ、２３‥ＭＯＳトランジスタ、２４‥インバータ、２５
‥ダイオード、２６‥ＭＯＳトランジスタ、２７‥電子装置、２８‥電源端子、２９‥バ
ーンイン端子、３０‥スタンバイ端子、３１‥レギュレータ、３２‥内部回路、３３‥レ
ギュレータ、３４‥内部回路、３５‥レギュレータ、３６‥観測端子、３７‥内部回路、
１０４‥レギュレータ回路、１０５‥レギュレータ出力ライン、１０６‥バッテリ電源ラ
イン、５００‥電圧監視回路、５０１‥アンプ回路、５０２‥分圧比切り換え回路、５０
３‥定電圧発生用トランジスタ、５１０‥ＭＯＳトランジスタ、５１１‥コンパレータ、
５１２‥バンドギャップリフャレンス
【図１】
2019061723.tif 000003
【図２】
2019061723.tif 000004
【図３】
2019061723.tif 000005
【図４】
2019061723.tif 000006
【図５】
2019061723.tif 000007
【図６】
2019061723.tif 000008
【図７】
2019061723.tif 000009
【図８】
2019061723.tif 000010
【図９】
2019061723.tif 000011
【図１０】
2019061723.tif 000012
【図１１】
2019061723.tif 000013